【手続補正書】
【提出日】平成20年3月7日(2008.3.7)
【手続補正１】
【補正対象書類名】明細書
【補正対象項目名】特許請求の範囲
【補正方法】変更
【補正の内容】
【特許請求の範囲】
【請求項１】
配線セグメントを有する電話配線を備える建物内電話配線システムの部分として使用するよう構成されたネットワーク出口（３１）であるが、前記ネットワーク出口が該電話配線を通してデータ及び電話通信の同時伝送用のローカルエリアネットワークを構成するよう動作する該ネットワーク出口に於いて、該ネットワーク出口が
多数出口が該電話配線へ接続されるデイジーチェーンとなることを可能にするよう、各々がそれぞれの配線セグメントをそれに接続するための１対のコネクター（５４，５５）と、
それに接続されたデータデバイスと該電話配線との間のデータ接続を確立するよう動作する少なくとも１つのデータインターフエースコネクター（５６，５７，１１３ａ、１１３ｄ）と、
それに接続された標準電話デバイスと該電話配線との間の標準電話通信接続をサポートするよう動作する少なくとも１つの電話コネクター（５３）と、
該電話配線に結合されるよう適合され、該電話配線上で伝送される電話通信とデータ通信信号とを分離するよう動作するスプリッター（５０ａ、５０ｂ、５０ｃ、５０ｄ）と、そして
該電話配線に結合されるよう適合された出力を有し、該電話配線上で伝送されるべき電話通信とデータ通信信号とを組み合わせるよう動作するカプラー（５０ａ、５０ｂ）と、を具備することを特徴とする該ネットワーク出口。
【請求項２】
該スプリッター又は該カプラーは、電話とデータ信号の間の分離が、周波数領域多重化を使って達成されることを可能にするために、少なくとも１つのローパスフイルター（５１ａ、５１ｂ）と少なくとも１つのハイパスフイルター（５２ａ、５２ｂ）とを備えることを特徴とする請求項１の該出口。
【請求項３】
該少なくとも１つのローパスフイルター（５１ａ、５１ｂ）と該少なくとも１つのハイパスフイルター（５２ａ、５２ｂ）は、１つの電話配線セグメントへの結合用に前記コネクターの１つに結合されることを特徴とする請求項２の該出口。
【請求項４】
更に、該ハイパスフイルターと該少なくとも１つのデータインターフエースコネクター（１１３ａ、１１３ｂ）の間に接続された少なくとも１つのモデム（２３ａ、２３ｂ、１０３ａ、１０３ｂ）を具備することを特徴とする請求項２から３の何れか１つの該出口。
【請求項５】
更に、該少なくとも１つのデータインターフエースコネクター（１１３）へ辿る前に該データ通信信号を増幅するために、該スプリッター（５０）のそれぞれの出力ポート（５６，５７）間に結合されたデータレピーター（９１）を具備することを特徴とする請求項１から４の何れか１つの該出口。
【請求項６】
該少なくとも１つのデータインターフエースコネクター（１１３）が在庫データコネクターに適合することを特徴とする請求項１から５の何れか１つの該出口。
【請求項７】
該電話コネクターが在庫電話コネクターに適合することを特徴とする請求項１から６の何れか１つの該出口。
【請求項８】
電話配線上でデータを伝送するローカルエリアネットワークとして動作するために、現在の電話システムをアップグレードするキットの部分であることを特徴とする請求項１から７の何れか１つの該出口。
【請求項９】
普通の配線上でデータと電話通信の信号を同時に伝送するよう動作する、建物内のローカルエリアネットワークに於いて、該ネットワークが
該建物の壁内の少なくとも１つの電話配線セグメント（１５）を具備しており、前記電話配線セグメントは少なくとも２つの導体を備えており、１対の出口間でデイジーチェーントポロジーで接続されており、前記電話配線セグメントは電話通信及びデータ通信の信号を同時に伝送するよう動作しており、
前記出口の少なくとも１つは、そのコネクターへ接続することにより電話通信サービスをサポートするよう動作しており、そして
前記出口の両者はそのコネクターへ接続することによりデータ通信サービスをサポートするよう動作することを特徴とする該ネットワーク。
【請求項１０】
更に、周波数領域多重化を使って電話及びデータ信号を伝送するためにそれぞれローパスフイルター（５１ａ、５１ｂ）及びハイパスフイルター（５２ａ、５２ｂ）を具備することを特徴とする請求項９の該ネットワーク。
【請求項１１】
隣接する出口が、該電話配線上で該電話通信信号を伝送し、かくして該電話通信信号が該電話配線上で連続的に伝送されることを可能にするブリッジとして構成されることを特徴とする請求項１０の該ネットワーク。
【請求項１２】
それぞれの配線セグメントにより前記対の該出口の何れかに結合され、電話通信サービスのみをサポートするよう適合された追加出口を具備することを特徴とする請求項１０の該ネットワーク。
【請求項１３】
該出口の少なくとも１つが、該少なくとも１つのデータインターフエースコネクター（１１３）へ辿る前に該データ通信信号を増幅するためのデータレピーター（９１）を備えることを特徴とする請求項１２の該ネットワーク。
【請求項１４】
前記少なくとも１つのデータコネクターが在庫データコネクターに適合することを特徴とする請求項９の該ネットワーク。
【請求項１５】
イーサーネットプロトコルに基づくことを特徴とする請求項９の該ネットワーク。
【請求項１６】
前記電話通信がアナログ電話通信であることを特徴とする請求項９の該ネットワーク。
【請求項１７】
前記電話通信がアイエスデーエヌ電話通信であることを特徴とする請求項９の該ネットワーク。
【請求項１８】
電話通信用としてと、そして複数のデータデバイス内でデータを伝送するためのローカルエリアネットワークとしてと、両者で動作するよう現在の電話システムをアップグレードする方法であるが、該電話システムが建物の壁内の少なくとも１つの電話線に接続された２つ以上の電話出口（３１ａ、３１ｂ、３１ｃ、３１ｄ）を有する場合の該方法に於いて、該方法が
（ａ）該建物の該壁から該電話出口の少なくとも２つを取り除く過程と、
（ｂ）該少なくとも１つの電話線から前記少なくとも２つの電話出口を電気的に遮断する過程と、
（ｃ）データデバイスと前記ネットワークの間のデイジーチェーンデータ接続を確立するよう動作するデータインターフエースコネクターを各々が有する２つの置き換え用出口により前記少なくとも２つの出口を置き換える過程と、
（ｄ）該置き換え用出口の各々を該少なくとも１つの電話線に電気的に接続する過程と、そして
（ｅ）該置き換え用出口の各々を該壁に機械的に取り付ける過程と、を具備することを特徴とする該方法。
【請求項１９】
過程（ｄ）で、各電話線配線セグメント接続が該置き換え用出口の別々のコネクターに接続されることを特徴とする請求項１８の該方法。
【請求項２０】
それぞれの電話配線セグメントにより相互接続された少なくとも２つの出口を有するローカルエリア及び電話通信のネットワークを建物電話配線システム上で構成する方法に於いて、該方法が
（ａ）該配線上でデータ及び電話通信の信号を搬送するために周波数領域多重化を使う過程と、
（ｂ）該ネットワーク上で連続的に該電話信号を伝送する過程と、
（ｃ）該電話通信信号を該出口の少なくとも１つに結合する過程と、
（ｄ）該データ通信信号を該出口の該少なくとも１つの別々のデータコネクターに結合し、デイジーチェーントポロジー内の隣接出口へ伝送する過程と、を具備することを特徴とする該方法。
【請求項２１】
更に、該出口の少なくとも１つで成端し、該データ通信信号をレピートする過程を具備することを特徴とする請求項２０の該方法。